(57)【要約】【課題】簡単な構造で、リバーシブルタイプの鍵に対応して施解錠状態をキー自体に表示させる。【解決手段】施解錠表示キーにおいて、キーヘッド１７に形成される空間２１と、キーヘッド１７の表裏側でそれぞれが付勢手段に付勢されて突出し、鍵穴周部に当接して後退自在となり、突出位置で空間２１を左右に仕切り、後退位置で仕切りを解除する一対のトリガー杆２９と、一対のトリガー杆２９のそれぞれに連結され、トリガー杆２９の突出位置で空間２１を上下に仕切り、後退位置で仕切りを解除する一対の摺動仕切板３１と、一対のトリガー杆２９及び一対の摺動仕切板３１にて前記空間の四つに仕切られた小空間３３のいずれかに配置される球体３５と、それぞれの小空間３３に応じてキーヘッド１７に形成され球体３５が視認される窓部３７とを設けた。【選択図】  図４
2011157786.tif 000002
【特許請求の範囲】
【請求項１】
表裏面が水平となる向きで鍵穴に挿入され双方向の回転により施錠又は解錠となる錠装置の施解錠状態をキーヘッドに表示させる施解錠表示キーであって、
前記キーヘッドに形成される空間と、
キー挿入部を挟み前記キーヘッドの表裏側で付勢手段に付勢されて突出し、鍵穴周部に当接して後退自在となり、突出位置で前記水平向きのキーヘッドにおける空間を左右に仕切り、後退位置で該仕切りを解除するトリガー杆と、
前記トリガー杆に連結され、該トリガー杆の突出位置で前記水平向きのキーヘッドにおける空間を上下に仕切り、後退位置で該仕切りを解除する摺動仕切板と、
前記トリガー杆及び前記摺動仕切板にて前記空間の四つに仕切られた小空間のいずれかに配置される球体と、
それぞれの前記小空間に応じて前記キーヘッドに形成され前記球体が視認される窓部と、
を具備したことを特徴とする施解錠表示キー。
【請求項２】
請求項１記載の施解錠表示キーであって、
前記仕切りを解除したトリガー杆には前記空間の左右側のいずれか一方に前記球体を転動させる山形傾斜面が形成されていることを特徴とする施解錠表示キー。
【請求項３】
請求項１又は２記載の施解錠表示キーであって、
前記トリガー杆は、前記キーヘッドの表裏側で一対となるよう構成され、各トリガー杆には前記付勢手段がそれぞれ備えられ、
前記一対のトリガー杆が同時に後退位置となったときに前記球体が前記小空間から移動可能となることを特徴とする施解錠表示キー。
【発明の詳細な説明】
【技術分野】
【０００１】
本発明は、表裏面が水平となる向きで鍵穴に挿入され双方向の回転により施錠又は解錠となる錠装置に用いて好適な施解錠表示キーに関する。
【背景技術】
【０００２】
錠装置の施解錠状態を視認可能とする表示装置や表示手段を錠装置に設けるものがある。例えば、錠内部の連動機構部を、外装ケースに設けた透孔から表示させるもの、赤や青などの着色部材の切替表示や、「施錠」・「解錠」の文字を表示するもの、或いは、電気的な手段で、内部の施解錠状態を表示するもの、センサーなどを用いてライトの点灯・消灯を切替えるものなどが挙げられる。ところが、これら構成では錠装置自体を見ないことには、その施解錠状態を判断できない。そこで、鍵の付属品として把持部（キーヘッド）に施解錠状態を表示するものが案出されている。
【０００３】
例えば特許文献１に開示の施錠確認表示付き鍵付属品は、鍵の挿入方向に対して垂直に小球が移動できる溝形状部を備え、その溝形状部内に小球を設け、かつ、鍵の挿入方向に対して水平にバネにて可動する突起部と一体であるスライド板を設け、溝形状部中央部にその突起部が行き来できるスリットを設けることで、鍵の開閉の際の回転で移動する小球の位置によって施錠状態が表示できるように構成している。
【０００４】
また、特許文献２に開示の施解錠表示機能付き鍵は、空間に設けた複数のボール体の移動を許容し、移動するボール体を解錠位置および施錠位置へガイドする案内溝および保持部と係脱自在に設けられ鍵ブランクが抜き差しされる方向に直交する方向に移動可能なスライダを備える。鍵ブランクを鍵穴に差し込んで施解錠操作するときのみ、スライダが保持部との係合から解脱する一方、保持部とスライダとによるボール体の拘束が解除され、鍵ブランクの回転に連動してスライダと共にボール体が重力により落下することで、ボール体が施錠位置または解錠位置に移動して保持されるように構成している。
【先行技術文献】
【特許文献】
【０００５】
【特許文献１】特開２００６−１６９４６号公報
【特許文献２】特開２００９−２７５４１１号公報
【発明の概要】
【発明が解決しようとする課題】
【０００６】
しかしながら、キーが、両面で使用可能なリバーシブルタイプの場合、特許文献１の片面のみに表示手段を設けた構成では、錠装置の状態を正しく表示できないことがある。また、この構成を単純に両面にそれぞれ設けても正しく機能しない。例えば１つの面に対して右を「施錠」、左を「解錠」とした場合に、リバーシブル使用した場合、表示が逆になることがある。一方、特許文献２の施解錠表示機能付き鍵は、リバーシブル使用も可能となるが、部品点数が多く、構造も複雑となり、製造コストが高く、動作信頼性も危惧された。
【０００７】
本発明は上記状況に鑑みてなされたもので、その目的は、簡単な構造で、リバーシブルタイプの鍵に対応して施解錠状態をキー自体に表示させる施解錠表示キーを提供することにある。
【課題を解決するための手段】
【０００８】
次に、上記の課題を解決するための手段を、実施の形態に対応する図面を参照して説明する。
本発明の請求項１記載の施解錠表示キーは、表裏面１１が水平となる向きで鍵穴１３に挿入され双方向の回転により施錠又は解錠となる錠装置１５の施解錠状態をキーヘッド１７に表示させる施解錠表示キー１００であって、
前記キーヘッド１７に形成される空間２１と、
キー挿入部２３を挟み前記キーヘッド１７の表裏側で付勢手段２５に付勢されて突出し、鍵穴周部２７に当接して後退自在となり、突出位置で前記水平向きのキーヘッド１７における空間２１を左右に仕切り、後退位置で該仕切りを解除するトリガー杆２９と、
前記トリガー杆２９に連結され、該トリガー杆２９の突出位置で前記水平向きのキーヘッド１７における空間２１を上下に仕切り、後退位置で該仕切りを解除する摺動仕切板３１と、
前記トリガー杆２９及び前記摺動仕切板３１にて前記空間２１の四つに仕切られた小空間３３のいずれかに配置される球体３５と、
それぞれの前記小空間３３に応じて前記キーヘッド１７に形成され前記球体３５が視認される窓部３７と、
を具備したことを特徴とする。
【０００９】
この施解錠表示キーでは、鍵穴１３への非挿入状態において、空間２１がトリガー杆２９及び摺動仕切板３１にて四分割され、そのいずれかの小空間３３に球体３５が位置して窓部３７からの視認が可能となっている。キー挿入部２３が鍵穴１３に挿入されると、キーヘッド１７から突出しているトリガー杆２９の先端が鍵穴周部２７に当接し、さらに挿入が進むことでトリガー杆２９が後退される。トリガー杆２９が後退すると、トリガー杆２９及び摺動仕切板３１による仕切りが解除され、球体３５が空間２１の任意の四隅に移動可能となる。この状態で施解錠表示キー１００が施錠操作又は解錠操作されることで、垂直姿勢となるまで回転され、再び水平位置へ戻されると、最も遅れて最下部位置となっていた隅部に球体３５が重力にて転動配置され、そのまま引き抜き可能な水平位置まで回転される。この状態でキー挿入部２３が鍵穴１３から抜かれると、トリガー杆２９が付勢手段２５によって再び突出し、これに伴って空間２１がトリガー杆２９及び摺動仕切板３１によって再び仕切られ、表示位置に配置された球体３５が他の小空間３３へ移動不能に保持される。
【００１０】
請求項２記載の施解錠表示キーは、請求項１記載の施解錠表示キー１００であって、
前記仕切りを解除したトリガー杆２９には前記空間２１の左右側のいずれか一方に前記球体３５を転動させる山形傾斜面３９が形成されていることを特徴とする。
【００１１】
この施解錠表示キーでは、施解錠表示キー１００が施錠操作又は解錠操作されることで、垂直姿勢となるまで回転され、再び水平位置へ戻される際、最下部の隅部に配置されていた球体３５が、慣性力により反対側の隅部に転がろうとしても、その転動が山形傾斜面３９によって阻止される。
【００１２】
請求項３記載の施解錠表示キーは、請求項１又は２記載の施解錠表示キー１００であって、
前記トリガー杆２９は、前記キーヘッド１７の表裏側で一対となるよう構成され、各トリガー杆２９には前記付勢手段２５がそれぞれ備えられ、
前記一対のトリガー杆２９が同時に後退位置となったときに前記球体３５が前記小空間３３から移動可能となることを特徴とする。
【００１３】
この施解錠表示キーでは、表裏で一対となるトリガー杆２９の一方のトリガー杆２９のみが後退されても、球体３５が空間２１の例えば左右一方から他方へ転動する通路開口が形成されず、小空間３３からの球体３５の移動が阻止される。つまり、２つのトリガー杆２９が同時に後退することのみで、球体３５が空間２１の左右に移動自在となる通路空間が形成される。
【発明の効果】
【００１４】
本発明に係る請求項１記載の施解錠表示キーによれば、キーヘッドの空間、トリガー杆、摺動仕切板、空間が仕切られて形成される上下左右の４つの小空間のいずれかに配置される球体、小空間に対応しキーヘッドの表裏に形成される窓部を備える構成としたことで、簡単な構造で表裏面のいずれかの位置の窓部に球体を位置させることができ、リバーシブルタイプの鍵に対応して施解錠状態をキー自体に表示させることができる。
【００１５】
請求項２記載の施解錠表示キーによれば、仕切りを解除したトリガー杆のそれぞれには空間の左右側のいずれか一方に球体を転動させる山形傾斜面が形成されているので、戻し回転時の慣性力により球体が正規の表示位置の小空間から移動することを防止し、誤表示をなくすことができる。
【００１６】
請求項３記載の施解錠表示キーによれば、一対のトリガー杆が同時に後退位置となったときに球体が小空間から移動可能となるので、表示の信頼性を高めることができる。また、トリガー杆を一対で構成し表裏のそれぞれに配置したので、キー持ち運び等に誤ってトリガー杆が後退してしまうことによる球体位置の保持解除を、トリガー杆が１つの構成に比べて生じにくくできる。
【図面の簡単な説明】
【００１７】
【図１】本発明に係る施解錠表示キーと錠装置の概略外観斜視図である。
【図２】（ａ）は施解錠表示キーの未挿入状態における平面図、（ｂ）はそのＡ−Ａ断面図、（ｃ）はそのＢ−Ｂ断面図である。
【図３】（ａ）は施解錠表示キーの挿入状態における平面図、（ｂ）はそのＤ−Ｄ断面図、（ｃ）はそのＥ−Ｅ断面図である。
【図４】（ａ）は図２のＣ−Ｃ断面図、（ｂ）は図３のＦ−Ｆ断面図である。
【図５】（ａ）は４５°回転途中の断面図、（ｂ）は９０°回転状態の断面図である。
【図６】未挿入状態から抜去状態までを（ａ）〜（ｊ）に表した動作説明図である。
【図７】小空間と窓部の相関位置説明図である。
【図８】右回り解錠例の切り替わりパターン説明図である。
【図９】左回り施錠例の切り替わりパターン説明図である。
【発明を実施するための形態】
【００１８】
以下、本発明の実施の形態を図面を参照して説明する。
図１は本発明に係る施解錠表示キーと錠装置の概略外観斜視図である。
本実施の形態に係る施解錠表示キー１００は、表裏面１１（表面１１ａ、裏面１１ｂ）が水平となる向きで鍵穴１３に挿入され双方向（図１の時計回り矢印ａ、反時計回り矢印ｂ）の回転、例えば９０°ずつの回転により施錠又は解錠となる錠装置１５に用いられて、その施解錠状態をキーヘッド１７に表示させる。すなわち、リバーシブル対応の施解錠状態表示機能をキー自体に備えている。なお、本実施の形態は、錠装置１５が時計回りａで解錠、反時計回りｂで施錠される場合を例に説明するが、施解錠表示キーは勿論その反対回動操作の錠装置にも適用できるものである。
【００１９】
図２（ａ）は施解錠表示キーの未挿入状態における平面図、（ｂ）はそのＡ−Ａ断面図、（ｃ）はそのＢ−Ｂ断面図、図３（ａ）は施解錠表示キーの挿入状態における平面図、（ｂ）はそのＤ−Ｄ断面図、（ｃ）はそのＥ−Ｅ断面図、図４（ａ）は図２のＣ−Ｃ断面図、（ｂ）は図３のＦ−Ｆ断面図、図５（ａ）は４５°回転途中の断面図、（ｂ）は９０°回転状態の断面図である。
施解錠表示キー１００は、その主要な構成として、空間２１、トリガー杆２９、摺動仕切板３１、球体３５、窓部３７を有する。
【００２０】
施解錠表示キー１００は、鍵穴１３へのキー挿入部２３が、キーヘッド１７の一側面から突出する。キーヘッド１７は、例えば表裏一対のケース１７ａ，１７ｂを組み合わせて形成されている。キーヘッド１７は、表裏・左右で対称構造であり、リバーシブルキーに対応可能となっている。空間２１は、このケース１７ａ，１７ｂの内部に形成される。空間２１は、キー挿入部２３の挿入中心線４１に直交する断面形状が、上記水平となる方向（矢印Ｈ方向）に長い図４に示す矩形断面となる。矩形状となることで転動する球体３５を四隅のいずれかに移動し易くしている。
【００２１】
トリガー杆２９は、棒状に形成され、キー挿入部２３を挟みキーヘッド１７の表裏側でそれぞれが付勢手段２５に付勢されて突出し、鍵穴１３に挿入された際に鍵穴周部２７に当接して後退自在となるようにスライド可能に保持される。トリガー杆２９の先端部２９ａは、傷つき防止の面取りがなされている。付勢手段２５には圧縮コイルバネが用いられる。トリガー杆２９は、図２に示した突出位置で、水平向きのキーヘッド１７における空間２１を図４（ａ）に示す左右仕切部２９ｂにて左右に仕切り、付勢手段２５を縮める後退位置で図４（ｂ）に示すように左右仕切部２９ｂを空間２１から退出させて仕切りを解除する。すなわち、図４（ｂ）に示す左右連通路２９ｃを形成する。
【００２２】
摺動仕切板３１は、一対のトリガー杆２９のそれぞれに、図２に示す連結部３１ａを係合して連結され、一体的に摺動される。トリガー杆２９と一体摺動する摺動仕切板３１は、トリガー杆２９の突出位置で水平向きのキーヘッド１７における空間２１を、図４（ａ）に示す上下仕切部３１ｂにて上下に仕切り、後退位置で図４（ｂ）に示すように上下仕切部３１ｂを空間２１から退出させて仕切りを解除する。すなわち、図３（ｃ）に示す上下連通路３１ｄを形成する。上下仕切部３１ｂの摺動方向反対側は、挟持部３１ｃとなってキー挿入部２３を挟んで摺接する。
【００２３】
摺動仕切板３１は、トリガー杆２９が突出する通常状態で、空間２１を４つの小空間３３に仕切り、表裏のトリガー杆２９に連動して、表裏側一対のものが同時に動くことで、仕切りを解除する。空間２１は、いずれか一方の摺動仕切板３１の移動のみでは仕切られたままとなる。
【００２４】
空間２１は、一対のトリガー杆２９及び一対の摺動仕切板３１にて四つに仕切られた図４（ａ）に示す小空間３３となる。球体３５は、この小空間３３のいずれかに配置される。球体３５は、小空間３３に丁度配置される外径サイズに形成される。球体３５は、例えば金属等の比重が大きく且つ硬度の高い材料からなることで、図５に示すように空間２１が回転された時に、重力により容易に転動するようになされている。
【００２５】
ケース１７ａ，１７ｂには、それぞれの小空間３３に応じて窓部３７が形成され、窓部３７は球体３５を視認可能としている。窓部３７は透孔であっても良く、また、透明材料からなる図５に示すカバー３７ａにて塞がれていても良い。カバー３７ａを設けることで、球体３５の転動し易い平坦な内壁面を空間２１の窓部３７に形成できる。窓部３７は、表裏左右で４つとし、それぞれのうち１つのみに球体３５が位置することで錠装置１５の状態を表示することができる。
【００２６】
トリガー杆２９には、後退時の空間２１に相当する位置に図４に示す山形傾斜面３９が形成されている。山形傾斜面３９は、トリガー杆２９が後退し、左右連通路２９ｃが形成された際、空間２１の左右側のいずれか一方に球体３５を転動させるように働く。
【００２７】
施解錠表示キー１００が施錠又は解錠操作されることで、図５（ｂ）に示す垂直姿勢となるまで回転され、再び水平位置へ戻される際、最下部の隅部に配置されていた球体３５が、慣性力により反対側の隅部に転がろうとしても、その転動が山形傾斜面３９によって阻止される。このように、一対のトリガー杆２９のそれぞれに山形傾斜面３９を形成していることで、戻し回転時の慣性力により球体３５が正規の表示位置の小空間３３から離脱することを防止し、誤表示をなくすようになされている。
【００２８】
また、この山形傾斜面３９によって、空間２１の左右の仕切りを解除する際、各山形傾斜面３９上の空間が球体３５の約半分、すなわち両山形傾斜面３９の間隔距離が球体３５のおよそ半径長とされる。つまり、片方のトリガー杆２９のみが移動されても、球体３５は左右連通路２９ｃを移動できない。
【００２９】
次に、上記構成を有する施解錠表示キー１００の作用を説明する。
図６は未挿入状態から抜去状態までを（ａ）〜（ｊ）に表した動作説明図である。
施解錠表示キー１００は、鍵穴１３への非挿入状態において、空間２１がトリガー杆２９及び摺動仕切板３１にて四分割され（図６（ｅ）参照）、そのいずれかの小空間３３に球体３５が位置して窓部３７からの視認が可能となっている。
【００３０】
例えば図６（ａ）に示した表面側ケース１７ａの窓部３７が解錠表示となっている施解錠表示キー１００を用いて施錠状態の錠装置１５を解除する場合、図６（ｂ）に示すように、施解錠表示キー１００を水平にして鍵穴１３に挿入すると、キーヘッド１７から突出しているトリガー杆２９の先端２９ａが鍵穴周部２７に当接し、さらに挿入が進むことでトリガー杆２９が後退される。
【００３１】
トリガー杆２９が後退すると、トリガー杆２９及び摺動仕切板３１による仕切りが解除され、４つに分割されていた各小空間３３が１つの空間２１になり（図６（ｆ）参照）、球体３５が空間２１の任意の四隅に移動可能となる。このように、施解錠表示キー１００では、一対のトリガー杆２９が同時に後退位置となったときに球体３５が小空間３３から移動可能となる。一方のトリガー杆２９のみが後退されても、球体３５が空間２１の例えば左右一方から他方へ転動する通路開口が形成されず、小空間３３からの球体３５の移動が阻止される。つまり、２つのトリガー杆２９が同時に後退することのみで、球体３５が空間２１の左右に移動自在となる上下連通路３１ｄ、左右連通路２９ｃが形成される。これにより、表示の信頼性が高められている。
【００３２】
この状態で施解錠表示キー１００が解錠の方向（本例では右回転）へ回転が開始されると、球体３５が移動を開始する（図６（ｇ）参照）。さらに回転が進み、図６（ｈ）に示すように、垂直姿勢となるまで回転操作されると、錠装置１５は解錠が完了する。
【００３３】
抜去のために、図６（ｉ）に示すように、施解錠表示キー１００の回転状態を反時計回りに回転すると、最も遅れて最下部位置となっていた隅部の小空間３３に球体３５が重力にて転動配置され、そのまま引き抜き可能な水平位置まで回転される。この状態でキー挿入部２３が鍵穴１３から抜かれると、トリガー杆２９が付勢手段２５によって再び突出し（図６（ｄ）参照）、これに伴って空間２１がトリガー杆２９及び摺動仕切板３１によって再び仕切られ、表示位置に配置された球体３５が他の小空間３３へ移動不能に保持される（図６（ｊ）参照）。これにより、裏面側ケース１７ｂの窓部３７の位置に球体３５が位置し、すなわち解錠表示となる。
【００３４】
施解錠表示キー１００では、施解錠操作の回転範囲が９０°であり、鍵挿入と鍵抜去の位置が同じ水平位置とされる。すなわち、水平から始まり、施錠又は解錠のいずれかの方向に９０°回転し、その後再び水平に戻すので、球体３５は必ず左右いずれかの端に片寄せされて納まる。これにより施解錠表示キー１００の表裏面に球体３５の位置が施錠であるか解錠であるかを示す標示、例えば印刷や刻印等を設けておくことで、錠装置１５の施解錠状態が抜去状態のキー側に表示でき判断できるようになる。
【００３５】
図７は小空間と窓部の相関位置説明図である。
４つに仕切られる小空間３３は、表ケース１７ａが上側となる水平向きで、キーヘッド１７の後端面１７ｃ（図１参照）側から見た場合、反時計回りに第一象限、第二象限、第三象限、第四象限と称することができる。キーヘッド１７の裏面で施錠（Ｌｏｃｋ）表示される場合、球体３５は第三象限に位置する。一方、裏面で解錠（Ｕｎｌｏｃｋ）表示される場合、球体３５は第四象限に位置する。リバーシブル対応の施解錠表示キー１００では、対角方向の第一象限と第二象限が同一標示、第二象限と第四象限が同一標示となる。したがって、キーヘッド１７は、表ケース１７ａ，裏ケース１７ｂ共に、一方側（本例では左側）にＬｏｃｋ標示がなされ、他方側（本例では右側）にＵｎｌｏｃｋ標示がなされることとなる。
【００３６】
図８は右回り解錠例の切り替わりパターン説明図、図９は左回り施錠例の切り替わりパターン説明図である。
図８に示すように、右回りで解錠する場合、図８（ａ）の表側が解錠表示、図８（ｂ）の表側が施錠表示、図８（ｃ）に示す裏側が施錠表示、図８（ｄ）に示す裏側が解錠表示のいずれの施解錠表示キー１００であっても、解錠回転されることで、球体３５が第四象限に配置されて裏側が解錠表示となる。また、図９に示すように、左回りで施錠となる例では、図９（ａ）の表側が解錠表示、図９（ｂ）の表側が施錠表示、図９（ｃ）に示す裏側が施錠表示、図９（ｄ）に示す裏側が解錠表示のいずれの施解錠表示キー１００であっても、施錠回転されることで、球体３５が第三象限に配置されて裏側が施錠表示となる。
【００３７】
したがって、本実施の形態に係る施解錠表示キー１００によれば、キーヘッド１７の空間２１、一対のトリガー杆２９、一対の摺動仕切板３１、球体３５、窓部３７を備えるので、簡単な構造で、リバーシブルタイプの錠装置１５に対応して施解錠状態をキー自体に表示させることができる。また、キー持ち運び等に誤ってトリガー杆２９が後退してしまうことによる球体位置の保持解除を、トリガー杆２９が１つの構成に比べて生じにくくできる。
【００３８】
なお、上述した実施の形態では、トリガー杆２９をキーヘッド１７の表裏側となるよう一対で構成し、それぞれが付勢手段２５で付勢されて突出し、それぞれが後退自在となるよう配置構成される例を示したが、このトリガー杆２９を１つで構成してもよく、例えばキーヘッド１７の表裏のいずれかの面に配置されて上記同様の構成、すなわち空間２１を左右に仕切る構成として、摺動仕切板３１とともに４つの小空間３３を形成し、球体３５をいずれかに配置させるよう構成すれば良い。
【符号の説明】
【００３９】
１１…表裏面
１３…鍵穴
１５…錠装置
１７…キーヘッド
２１…空間
２３…キー挿入部
２５…付勢手段
２７…鍵穴周部
２９…トリガー杆
３１…摺動仕切板
３３…小空間
３５…球体
３７…窓部
３９…山形傾斜面
１００…施解錠表示キー
【図１】
2011157786.tif 000003
【図２】
2011157786.tif 000004
【図３】
2011157786.tif 000005
【図４】
2011157786.tif 000006
【図５】
2011157786.tif 000007
【図６】
2011157786.tif 000008
【図７】
2011157786.tif 000009
【図８】
2011157786.tif 000010
【図９】
2011157786.tif 000011